(57)【要約】【課題】ねじの係合を利用してコネクタを高圧電線に取り付けたときに、ねじが緩まないようにする。【解決手段】引下線用コネクタ１は、電線に固定されるコネクタ本体４と、このコネクタ本体４を覆うカバー５とを備える。コネクタ本体４の操作手段１７は、雄ねじが形成されるとともにその端部に前記押圧部１６が設けられる軸部２４を有する。連結部９には、掛止部８に一体に形成されるともに、前記軸部２４が螺合するねじ孔１２が設けられる。カバー５は、高圧電線３に掛止部８を掛けることができるように内部に高圧電線３を入れることが可能な開口部と、この開口部を塞ぐ開閉自在な蓋体３２と、蓋体３２に設けられるとともに、蓋体３２が閉じられた状態で、連結部９のねじ孔１２に係合する軸部２４が回転しないようにこの軸部２４の位置を規制する規制手段４０と、を備える。【選択図】図４
2010277831.tif 000002
【特許請求の範囲】
【請求項１】
フック状に構成されるとともに高圧電線に掛止される掛止部と、この掛止部とともに高圧電線を挟むように押圧する押圧部と、押圧部を掛止部に対して接近・離反するように操作する操作手段と、操作手段と掛止部とを連結するとともに、掛止部と引下線とを電気的に接続するための連結部と、を有するコネクタ本体と、このコネクタ本体を覆うカバーと、を備える引下線用コネクタであって、
前記コネクタ本体の操作手段は、雄ねじが形成されるとともにその端部に前記押圧部が設けられる軸部を有し、
前記連結部には、掛止部に一体に形成されるともに、前記軸部が螺合するねじ孔が設けられ、
前記カバーは、高圧電線に掛止部を掛けることができるように内部に高圧電線を入れることが可能な開口部と、この開口部を塞ぐ開閉自在な蓋体と、蓋体に設けられるとともに、蓋体が閉じられた状態で、連結部のねじ孔に係合する軸部が回転しないようにこの軸部の位置を規制する規制手段と、を備えてなることを特徴とする引下線用コネクタ。
【請求項２】
前記規制手段は、蓋体を閉じたときに軸部が回転しないようにその位置を規制すべく、蓋体から突出して押圧部に当接する突起部を有する請求項１に記載の引下線用コネクタ。
【請求項３】
押圧部が弾力的に高圧電線を押圧できるようにこの押圧部を付勢する付勢手段を備える請求項１又は２に記載の引下線用コネクタ。
【発明の詳細な説明】
【技術分野】
【０００１】
本発明は、例えば、電柱に架設される高圧電線から分岐される引下線用のコネクタに関する。
【背景技術】
【０００２】
例えば電柱に架設される高圧電線からは、変圧器に引き込まれる引下線が分岐されているが、この分岐部分には、高圧線と引下線とを共に係止できるように構成された引下線用コネクタが設けられている。この引下線用コネクタによって高圧電線から引下線を分岐する作業は、例えば、所定の間接活線作業用の共用操作棒を使用して行われる。
【０００３】
従来、間接活線作業によって引下線用コネクタを介して引下線を高圧電線から分岐する場合には、１人の作業者がこの引下線用コネクタを保持した状態で、もう１人の作業者が引下線をコネクタに接続する等の作業が必要になり、作業が非常に煩雑なものであった。
【０００４】
この分岐作業の作業性を向上する引下線用コネクタとして、例えば、高圧電線を保持する高圧電線保持部と、引下線を保持する引下線保持部とを有したものがある（例えば特許文献１参照）。この引下線用コネクタの高圧電線保持部は、コネクタ部材の一部をフック状に形成することにより画成される空間を高圧電線に懸架させるものである。
【０００５】
さらに、この引下線用コネクタは、高圧電線保持部の空間内において変位する高圧電線押さえ手段を具備する。そして、この高圧電線押さえ手段は、間接活線作業用の共用操作棒により操作可能な回転部を有し、該回転部を回転させることにより皿状の部材が高圧電線に対して進退可能に設けられている（特に特許文献１の請求項５及び図９、図１０を参照）。
【０００６】
より具体的には、皿状の部材が高圧電線に対して進退可能な構成は、螺条ブロック体と螺条凹部との螺条同士を係合させ、回転部を回転させることで、螺条ブロック体を螺条凹部に対して上下動させることによって実現される。
【先行技術文献】
【特許文献】
【０００７】
【特許文献１】特開２００８−２８９３０６号公報
【発明の概要】
【発明が解決しようとする課題】
【０００８】
従来の引下線用コネクタでは、螺条ブロック体と螺条凹部の螺条の係合、いわば、ねじの係合を利用するものであるため、例えば高圧電線の振動等によってねじが緩んでしまい、高圧電線を押さえる押さえ手段が十分な機能を発揮できない場合も想定される。
【０００９】
本発明はこのような事情に鑑みてなされたものであり、ねじの係合を利用して高圧電線に取り付けたときに、このねじが緩まないようにした引下線用コネクタを提供することを課題とする。
【課題を解決するための手段】
【００１０】
本発明は、上記の課題を解決するために以下の技術的手段を講じた。
【００１１】
すなわち、本発明は、フック状に構成されるとともに高圧電線に掛止される掛止部と、この掛止部とともに高圧電線を挟むように押圧する押圧部と、押圧部を掛止部に対して接近・離反するように操作する操作手段と、操作手段と掛止部とを連結するとともに、掛止部と引下線とを電気的に接続するための連結部と、を有するコネクタ本体と、このコネクタ本体を覆うカバーと、を備える引下線用コネクタであって、前記コネクタ本体の操作手段は、雄ねじが形成されるとともにその端部に前記押圧部が設けられる軸部を有し、前記連結部には、掛止部に一体に形成されるともに、前記軸部が螺合するねじ孔が設けられ、前記カバーは、高圧電線に掛止部を掛けることができるように内部に高圧電線を入れることが可能な開口部と、この開口部を塞ぐ開閉自在な蓋体と、蓋体に設けられるとともに、蓋体が閉じられた状態で、連結部のねじ孔に係合する軸部が回転しないようにこの軸部の位置を規制する規制手段と、を備えてなることを特徴とする。
【００１２】
かかる構成によれば、規制手段によって軸部が回転しないようにその位置を規制することにより、高圧電線等の揺れによる振動等の要因によって軸部が緩むことを確実に防止し、コネクタ本体が高圧電線に固定された状態を長期的に維持できるようになる。
【００１３】
また、本発明に係る引下線用コネクタは、前記規制手段が、蓋体を閉じたときに軸部が回転しないようにその位置を規制すべく、蓋体から突出して押圧部に当接する突起部を有する構成を採用できる。
【００１４】
かかる構成によれば、蓋体を閉じるだけで、この突起部が押圧部に当接することで、軸部が回転しないように位置の規制がなされるため、作業性の良いものとなる。
【００１５】
また、本発明に係る引下線用コネクタは、押圧部が弾力的に高圧電線を押圧できるようにこの押圧部を付勢する付勢手段を備える構成を採用できる。
【００１６】
かかる構成によれば、付勢手段によって押圧部が弾力的に高圧電線を押圧することができるので、径の異なる種々の高圧電線にコネクタを取り付けることができるようになる。
【発明の効果】
【００１７】
本発明係る引下線用コネクタによれば、ねじの係合を利用して高圧電線に取り付けられる場合に、ねじが緩まないようにすることができる。
【図面の簡単な説明】
【００１８】
【図１】本発明に係る引下線用コネクタの第１実施形態を示す側面図である。
【図２】同じくカバーの側面図である。
【図３】同じくカバーの正面図である。
【図４】同じく引下線用コネクタの側面図である。
【図５】本発明に係る引下線用コネクタの第２実施形態を示す側面図である。
【図６】引下線用コネクタの他の例を示す側面図である。
【図７】引下線用コネクタの他の例を示す側面図である。
【図８】引下線用コネクタの他の例を示す側面図である。
【発明を実施するための形態】
【００１９】
以下、本発明を実施するための形態を、図面に基づき説明する。
【００２０】
図１〜図４は本発明に係る引下線用コネクタ（以下、単に「コネクタ」という）の第１実施形態を示す。コネクタ１は、引下線２と高圧電線３とを電気的に接続するためのコネクタ本体４と、このコネクタ本体４を覆うカバー５とを有する。
【００２１】
コネクタ本体４は、第１構成部材６と、第２構成部材７とを有する。第１構成部材６は、導電性を有する金属製で長尺状の板部材によって主構成される。この第１構成部材６は、フック状（鉤状）に構成されるとともに高圧電線３に掛止される掛止部８と、第２構成部材７を連結するとともに、引下線２が連結される連結部９とを有する。
【００２２】
掛止部８は、板部材の一端部をフック状の曲げることで形成される。連結部９はこの板部材の他端部に設けられている。なお、第１構成部材６を構成する長尺状の板部材の中途部は、側面視で直線状に形成されている（この直線部分を符号６ａで示す）。
【００２３】
連結部９は導電性を有するとともに掛止部８に一体に形成されている。この連結部９は、第１構成部材６と第２構成部材７とを連結する第１連結部１０と、第１構成部材６と引下線２とを連結する第２連結部１１とを備える。
【００２４】
第１連結部１０は、上下方向に貫通するねじ孔１２を有する。第２連結部１１は、筒状に形成され、その内部に、引下線２の端部が挿通されて圧着、溶接その他の固着手段によって固着されている。これにより、掛止部８は引下線２と電気的に接続されている。
【００２５】
第２構成部材７は、コネクタ本体４を高圧電線３に固定すべく、掛止部８とともに電線を挟んで押圧する押圧部１６と、この押圧部１６を操作するための操作手段１７とを有する。
【００２６】
押圧部１６の上面１６ａは、掛止部８に対向するとともに、高圧電線３に当接する当接面となっている。この押圧部１６の上面１６ａは、高圧電線３の外面の形状（円形）に対応すべく、所定の曲率半径による凹曲面となっている。
【００２７】
また、押圧部１６には、第１構成部材６を構成する板部材の直線部分６ａが挿通される挿通孔２１が上下方向に貫通して形成されている。この挿通孔２１に板部材の直線部分６ａが挿通されることで、押圧部１６は、板部材の直線部分６ａの長手方向、すなわち上下方向に直線的に移動できるようになっている。
【００２８】
操作手段１７は、間接活線作業用の共用操作棒によって操作される操作部２３と、雄ねじが形成された軸部２４とを備える。操作部２３は、共用操作棒の先端に取り付けられる先端工具が係合する係合溝２５を有する。
【００２９】
操作部２３は、絶縁材料（例えば合成樹脂等）によって形成されている。この操作部２３は、カバー５体の下部から下方に突出している。また、操作部２３は、軸部２４の一端部に一体に固着されている。また、軸部２４の他端部には、押圧部１６が軸部２４に対して相対回転自在に設けられている。
【００３０】
したがって、操作部２３が軸部２４の軸心まわりに回転するように操作されたとき、軸部２４は操作部２３とともに回転するが、押圧部１６は、その挿通孔２１に第１構成部材６の直線部分６ａが挿通されていることによって回り止めがなされ、軸部２４ともに回転しないようになっている。
【００３１】
軸部２４は、第１構成部材６の第２連結部１１に形成されたねじ孔１２に嵌め込まれている。したがって、共用操作棒によって操作部２３を回転させると、これとともに軸部２４が回転し、押圧部１６を掛止部８に対して接近・離反させることができる。
【００３２】
カバー５は、カバー本体３１と、カバー本体３１に対して開閉自在に設けられる蓋体３２とを有する。カバー本体３１は、高圧電線３をこのカバー本体３１に対して出し入れするための開口部（以下「第１開口部」という）３３と、第１構成部材６の軸部２４を挿通するための開口部（以下「第２開口部」という）３４と、高圧電線３を支持する支持部（以下「第１支持部」という）３５と、引下線２を支持する支持部（以下「第２支持部」という）３６と、蓋体３２を固定するための固定部（以下「第１固定部」という）３１ａと、を有する。
【００３３】
図２、図３に示すように、カバー本体３１には２つの第１支持部３５，３５が形成されている。２つの第１支持部３５，３５は、ほぼ水平方向に１沿って、互いに逆方向に突出している。各第１支持部３５は、円筒を半割した形状の２つの突起部３５ａ，３５ｂを有する。２つの突起部３５ａ，３５ｂのうちの一方３５ａは、カバー本体３１の外面から側方に突出している。また、他方の突起部３５ｂは、蓋体３２の外面から側方に突出している。
【００３４】
第１支持部３５は、蓋体３２が閉じたときに、２つの突起部３５ａ，３５ｂの縁部が当接して円筒形状を構成するようになっている。第１支持部３５は、蓋体３２が閉じた状態で、この円筒形状の内側で、２つの突起部で高圧電線３を挟むように支持する。
【００３５】
第２支持部３６は、カバー本体３１の外面から突出する筒部となっている。この第２支持部３６は、カバー本体３１内と連通するように構成され、その内側に引下線２が挿通されてこの引下線２を支持している。なお、第２支持部３６は、引下線２に加わる力を吸収できるように、例えば蛇腹状に形成することが望ましい。
【００３６】
第１固定部３１ａは、図２、図３に示すように、カバー本体３１の外面に、所定厚さでフランジ状に形成されている。この第１固定部３１ａには、厚さ方向に貫通する貫通孔が形成されている。
【００３７】
蓋体３２は、ヒンジ部３８を介してカバー本体３１に対して回動自在に連結されている。蓋体３２は、カバー本体３１の第１開口部３３を覆うためのものである。
【００３８】
また、蓋体３２には、この蓋体３２をカバー本体３１に固定するための固定部（以下「第２固定部」という）３２ａが形成されている。この第２固定部３２ａは、蓋体３２を閉じたときに、カバー本体３１の第１固定部３１ａに対向して接触するように、フランジ状に形成されている。この第２固定部３２ａには、第１固定部３１ａに形成された貫通孔に対応する貫通孔が形成されている。
【００３９】
蓋体３２は、第１開口部３３を覆うように閉じたときに、第１固定部３１ａ及び第２固定部３２ａは、互いに重なるように接触し、第１固定部３１ａの貫通孔と第２固定部３２ａの貫通孔とが一致するようになっている。蓋体３２は、この状態で、一致している貫通孔に所定の留め具３９を挿通することで、カバー本体３１に固定される。
【００４０】
蓋体３２には、第１構成部材６の掛止部８と、第２構成部材７の押圧部１６とによって高圧電線３を挟んで固定する状態を維持すべく、この押圧部１６が、押圧している高圧電線３から離れないように、軸部２４が第１連結部１０のねじ孔１２に対して回転しないようにその位置を規制する規制手段４０が設けられている。
【００４１】
具体的には、この規制手段４０は、蓋体３２の内面から突出する突起部である（以下、規制手段と突起部に共通符号４０を用いる）。この突起部４０は、蓋体３２を閉じたときに、その上部（上面４０ａ）が押圧部１６の下部（下面１６ｂ）に当接するように構成される。
【００４２】
このように突起部４０が押圧部１６の下部（下面１６ｂ）に当接しているので、押圧部１６が高圧電線３から離れるような回転方向の力が軸部２４に作用したとしても、突起部４０に阻止されて回転することができない。すなわち、軸部２４は、第１連結部１０のねじ孔１２に対して回転しないようにその位置が規制される。
【００４３】
また、突起部４０の側部には、蓋体３２を閉じたときに突起部４０が第２構成部材７の軸部２４と干渉しないように、この軸部２４が入る凹部４０ｂが形成されている。
【００４４】
以下、上記構成のコネクタ１の使用方法（引下線２の施工方法）について説明する。コネクタ１を介して高圧電線３から引下線２を分岐させるには、コネクタ１が取り付けられる高圧電線３の部分の被覆を除去し、露出した芯線の部分に、コネクタ本体４の掛止部８を掛ける。この状態では、第２構成部材７の押圧部１６は、高圧電線３から離れた状態となっている。
【００４５】
そして、カバー本体３１の第２開口部３４から下方に突出する第２構成部材７の操作部２３を、共用操作棒によって、下からみて時計まわりに回転操作し、軸部２４をその軸心まわりに回転させる。これにより、押圧部１６が上方に移動して、掛止部８及び高圧電線３に接近する。
【００４６】
さらに軸部２４を回転させると、押圧部１６は高圧電線３に当接して押圧する。このとき、共用作業棒加える力を加減することで、押圧部１６が高圧電線３を押圧する力を調整することができる。
【００４７】
押圧部１６が高圧電線３を押圧することにより、コネクタ本体４は、掛止部８と押圧部１６とによって高圧電線３を挟んだ状態で、この高圧電線３に強固に固定される。これによって、引下線２は、第１構成部材６を介して高圧電線３に電気的に接続される。
【００４８】
この後、蓋体３２を閉じて第１開口部３３を覆うようにする。蓋体３２が第１開口部３３を覆ったときに、規制手段４０としての突起部が、高圧電線３を押圧している押圧部１６の下部（下面１６ｂ）に当接し、突起部４０の凹部４０ｂに第２構成部材７の軸部２４が入った状態となる。これによって、押圧部１６が下方に下がらないように、すなわち、軸部２４が回転しないように、軸部２４の位置規制がなされる。以上によって、コネクタ１の高圧電線３への取り付けが完了する。
【００４９】
次に、コネクタ本体４に連結されている引下線２を電柱上の碍子、カットアウト等の接続機器を介して変圧器に接続する。なお、この引下線２の先端部に圧縮スリーブを予め取り付けておくことによって、他の線とこの引下線２とを接続するような場合に、この圧縮スリーブを介して簡単に接続作業を行うことができる。
【００５０】
以上説明した本発明に係るコネクタ１によれば、規制手段４０によって、雄ねじが形成された軸部２４が緩む方向に回転しないようにその位置を規制することができるため、押圧部１６が高圧電線３を押圧して、コネクタ本体４が高圧電線３に固定された状態を長期的に維持できるようになる。
【００５１】
しかも、規制手段４０を蓋体３２の内面から突出する突起部とするとともに、蓋体３２を閉じたときに、この突起部４０が押圧部１６の下部に当接して押圧部１６が高圧電線３から離れないように位置規制されることで、軸部２４の位置を規制することから、蓋体３２を閉じるという簡単な操作のみで容易にその作業を行うことができ、この点において非常に便利である。
【００５２】
図５は、本発明に係るコネクタ１の第２実施形態を示している。本実施形態に係るコネクタ１は、第２構成部材７の押圧部１６の構成が第１実施形態と異なる。押圧部１６は、高圧電線３に当接可能な当接部材４１と、この当接部材４１を支持する支持部材４２とを有する。
【００５３】
当接部材４１は、その上面４１ａが、高圧電線３の外面に係合するように、凹状の湾曲面とされている。当接部材４１の下部には、下方に突出する円柱状の２つの突起部（以下「第１突起部」という）４３が形成されている。また、当接部材４１の側部には、側方に突出する２つの突起部（以下「第２突起部」という）４４が形成されている。
【００５４】
支持部材４２は、第２構成部材７の軸部２４に対して相対回転自在に連結されている。この支持部材４２は、第１構成部材６の直線部分６ａが挿通される挿通孔２１と、当接部材４１の下側部分が入る凹部（以下「第１凹部」という）４５と、第１凹部４５の底面４５ａに形成されるとともに、当接部材４１の突起部が入れられる２つの凹部（以下「第２凹部」という）４６とを有する。
【００５５】
第１凹部４５の上部には、当接部材４１を掛止する掛止突起部４７が形成されている。この掛止突起部４７は、当接部材４１の第２突起部４４に当接することで、当接部材４１が第１凹部４５から外れないように、この当接部材４１を掛止する。
【００５６】
押圧部１６には、この押圧部１６が弾力的に高圧電線３を押圧できるように付勢する付勢手段４８が設けられている。具体的には、付勢手段４８は、当接部材４１と支持部材４２の間に設けられている。付勢手段４８としては、例えばコイルバネが用いられる（以下、付勢手段とコイルバネに共通符号４８を用いる）。コイルバネ４８は、第２凹部４６に入れられるとともにその一端部が第２凹部４６の底面に当接している。
【００５７】
コイルバネ４８の他端部は、当接部材４１の下面に当接している。このコイルバネ４８の内側には、当接部材４１の第１突起部４３が挿入されている。第２凹部４６に入れられた第１突起部４３は、その先端が第２凹部４６の底面に接触していない。
【００５８】
換言すれば、コイルバネ４８は、第２突起部４４の先端が第２凹部４６の底面に接触しないように、当接部材４１を支持している。すなわち、支持部材４２は、コイルバネ４８を介して当接部材４１を支持する。
【００５９】
より具体的には、当接部材４１は、コイルバネ４８を介して支持部材４２に支持されていることから、コイルバネ４８の弾性力によって高圧電線３を押圧する力が維持されるとともに、この状態で、上下方向への移動が許容される。これにより、コネクタ１は、径の異なる種々の高圧電線３に対してコネクタ本体４を取り付けることができるようになり、この点において特に有用なものとなる。
【００６０】
本実施形態のその他の構成は、第１実施形態とほぼ同じである。本実施形態において第１実施形態と共通する要素には、共通符号を付してその説明を割愛する。本実施形態においても第１実施形態と同様の作用効果を奏する。
【００６１】
なお、本発明は、上記の実施形態に限らず、発明思想を逸脱しない範囲において種々の変更・変形が可能である。
【００６２】
例えば、上記の実施形態では、蓋体３２の内面から突出する突起部（４０）を押圧部１６に当接させることで、軸部２４の位置を規制する規制手段４０とした例を示したが、本発明はこれに限定されない。すなわち、例えば、図６に示すように、コネクタ１は、蓋体３２の外面に、塑性変形可能な帯状又は紐状の金属製の規制部材５０（規制手段４０）を有する。
【００６３】
コネクタ１は、蓋体３２を閉じたときに、この規制部材５０を塑性変形させながら、操作部２３の係合溝２５に係合させて操作部２３が回転しないように、すなわち軸部２４が回転しないように、その位置を規制することができる。
【００６４】
なお、図６に示すコネクタ１は、蓋体３２がカバー本体３１に対して上下にスライドすることで開閉する構成となっている。また、規制部材５０は、絶縁体によって被覆されていることが望ましい。また、このコネクタ１は、ケース本体３１に高圧電線を挿通する開口部５１を有し、蓋体３２をスライドさせることで、この開口部５１に高圧電線３を挿脱する状態と、開口部５１に挿入された高圧電線３を取り外すことができない状態とに状態を変更できるようになっている。
【００６５】
また、図７に示すように、蓋体３２をカバー本体３１にヒンジ部３８を介して回動自在に設けるとともに、この蓋体３２の下部外面に、操作部２３の係合溝２５に係合可能な突起部５２（規制規制手段４０）を設け、蓋体３２を閉じたときに、この突起部５２が係合溝２５に入ることにより、操作部２３及び軸部２４が回転しないようにその位置規制がなされるようにしてもよい。
【００６６】
また、図８に示すように、カバー本体３１内に操作部２３が全て収容される構成にし、蓋体３２をカバー本体３１にヒンジ部３８を介して回動自在に設け、この蓋体３２の下部内面に、操作部２３の係合溝２５に係合する突起部５３（規制手段４０）を設けて、蓋体３２を閉じたときに、この突起部５３が係合溝２５に入ることにより、操作部２３及び軸部２４が回転しないようにその位置規制がなされるようにしてもよい。なお、この場合は、カバー本体３１の下部に形成されている第２開口部３４を介してカバー本体３１内に共用操作棒の先端工具を差し込んで操作部２３を操作するようになっている。
【００６７】
上記の実施形態では、カバー本体３１に形成された第１固定部３１ａと蓋体３２に設けられた第２固定部３２ａとを重ね、これらに形成された貫通孔に留め具３９を差し込んで蓋体３２をカバー本体３１に固定する例を示したが、これに限定されず、カバー本体３１及び蓋体３２の一方に、鉤状の係止部を形成し、他方にこの係止部を受ける受け部を形成するような構成を採用できる。この他、蓋体を閉じたときに固定する従来の種々の手段を採用することができる。
【００６８】
上記の第２実施形態では、押圧部１６を付勢する付勢手段４８として、コイルバネを用いた例を示したが、これに限らず、板ばね、弾性ゴム等の弾性体その他の材用によって付勢手段を構成してもよい。
【符号の説明】
【００６９】
１…コネクタ、２…引下線、３…高圧電線、４…コネクタ本体、５…カバー、６…第１構成部材、６ａ…第１構成部材の直線部分、７…第２構成部材、８…掛止部、９…連結部、１０…第１連結部、１１…第２連結部、１２…ねじ孔、１６…押圧部、１６ａ…押圧部の上面、１６ｂ…押圧部の下面、２１…挿通孔、２３…操作部、２４…軸部、２５…係合溝、３１…カバー本体、３１ａ…第１固定部、３２…蓋体、３２ａ…第２固定部、３３…第１開口部、３４…第２開口部、３５…第１支持部、３５ａ…突起部、３５ｂ…突起部、３６…第２支持部、３８…ヒンジ部、３９…留め具、４０…規制手段、４０ａ…規制手段（突起部）の上面、４０ｂ…凹部、４１…当接部材、４１ａ…当接部材の上面、４２…支持部材、４３…第１突起部、４４…第２突起部、４５…第１凹部、４５ａ…第１凹部の底面、４６…第２凹部、４７…掛止突起部、４８…付勢手段、５０…規制部材、５１…開口部、５２…突起部、５３…突起部
【図１】
2010277831.tif 000003
【図２】
2010277831.tif 000004
【図３】
2010277831.tif 000005
【図４】
2010277831.tif 000006
【図５】
2010277831.tif 000007
【図６】
2010277831.tif 000008
【図７】
2010277831.tif 000009
【図８】
2010277831.tif 000010